(57)【要約】  本発明は傘骨アセンブリーに関し、親骨固定部材に円周上に回動可能に一端が結合される内側部材と、中間部材と、外側部材が折り畳まれるように組み立てて構成した複数の親骨と；第１受骨固定部材に円周上に回動可能に一端が結合され、内側部材端部が中間部分に回動可能に結合され、他端が中間部材と結合された外側部材の上端下側に回動可能に結合された複数の第１受骨と；親骨固定部材と第１受骨固定部材との間に位置する第２受骨固定部材に円周上に回動可能に一端が結合され、他端が内側部材に回動可能に結合される複数の第２受骨とで構成され；親骨固定部材に親骨の内側部材が回動可能に結合される結合部の直径は第２受骨固定部材に第２受骨が回動可能に結合される結合部の直径より大きい寸法で構成して第２受骨固定部材を下側に引いて傘骨アセンブリーを開き、上側に押し上げて傘骨アセンブリーを折り畳むように構成した。
2013503689.tif 000002
【特許請求の範囲】
【請求項１】
傘骨アセンブリー（１１）を構成するにおいて、
親骨固定部材（１５）の円周上に回動可能に一端が結合される内側部材（１２ａ）と、内側部材（１２ａ）の他端より上側に一端がピンで回動可能に結合される中間部材（１２ｂ）と、中間部材（１２ｂ）の他端に一端がピンで回動可能に結合される外側部材（１２ｃ）が折り畳まれるように組み立てて構成した複数の親骨（１２）と；
第１受骨固定部材（１６）の円周上に回動可能に一端が結合され、上記親骨（１２）の中間部材（１２ｂ）と平行するように内側部材（１２ａ）の端部が中間部分に回動可能にピンで結合され、他端が中間部材（１２ｂ）と回動可能にピンで結合された外側部材（１２ｃ）の上端下側にそれぞれピンで回動可能に結合された複数の第１受骨（１３）と；
上記親骨固定部材（１５）と第１受骨固定部材（１６）との間に位置する第２受骨固定部材（１７）に円周上に回動可能に一端が結合され、他端が上記内側部材（１２ａ）と第１受骨（１３）の中間部分が結合される部分に一緒にピンで回動可能に結合される複数の第２受骨（１４）とで構成され；
上記親骨固定部材（１５）に親骨（１２）の内側部材（１２ａ）が回動可能に結合される結合部の直径（Ｄ１）は第２受骨固定部材（１７）に第２受骨（１４）が回動可能に結合される結合部の直径（Ｄ２）より大きい寸法で構成して、第２受骨固定部材（１７）を下側に引いて傘骨アセンブリー（１１）を開き、上側に押し上げて傘骨アセンブリー（１１）が折り畳まれるようにすることを特徴とする傘骨アセンブリー。
【請求項２】
折り畳み式傘（１）を構成するにおいて、
手元（２）に下端が結合固定された下部管（３）の上端と下部管（３）の外部にスライド可能に結合された上部管（４）の下端にそれぞれ拡大された係止管（６）及び縮小された係止管（７）を形成して上昇を制御し、下部管（３）の上端部分と下端部分にそれぞれ作動孔（３ａ、３ｂ）を通じて外部に露出される係止突起（９）が形成されたプレートスプリング（８）を内装し、上部管（４）の下端部分に係止突起（９）が挿入されて係止される係止孔（４ａ）を形成した中棒（５）と；
上記上部管（４）の下端部分に形成された係止孔（４ａ）の上下側に形成された係止突部（４ｂ）の間に位置するように上部管（４）の外部にスライド可能に結合され、内側には係止孔（４ａ）を通じて露出されるプレートスプリング（８）に形成された係止突起（９）が挿入される環状の挿入溝（１０ａ）が形成された作動手元（１０）と；
上記中棒（５）の上部管（４）の外部に設置される傘骨アセンブリー（１１）と；を含み；
上記傘骨アセンブリー（１１）の結合は、上記上部管（４）の上端に親骨（１２）の内側部材（１２ａ）が回動可能に結合された親骨固定部材（１５）が固設され、その下側上部管（４）の外部には下降すれば傘骨アセンブリー（１１）が開かれて上昇する第１受骨固定部材（１６）と下部が隣接し、親骨固定部材（１５）の方に上昇すれば傘骨アセンブリー（１１）が折り畳まれ、第２受骨（１４）が回動可能に結合された第２受骨固定部材（１７）が設置され、上記作動手元（１０）の上側の上部管（４）の外部には傘骨アセンブリー（１１）が開かれる時上昇して第２受骨固定部材（１７）と上部が隣接し、傘骨アセンブリー（１１）が折り畳まれる時作動手元（１０）の方に下降し、第１受骨（１３）が回動可能に結合された第１受骨固定部材（１６）が設置され；
上記上部管（４）の上端部分には第２受骨固定部材（１７）の昇降幅だけ長く対向する作動長孔（４ｃ）を形成し、上部管（４）の内側に位置し、滑車（１８）が軸結合された昇降部材（１９）を上記第２受骨固定部材（１７）と作動長孔（４ｃ）を通じて挿入されるピン（２０）で一体になるように固定し；
上記上部管（４）の内部には作動長孔（４ｃ）の下側に支持部（２１）を形成し、支持部（２１）と下部管（３）の上端に形成されたロープ固定棒（２２）の上端を上記滑車（１８）を経由するロープ（２３）で連結することを特徴とする折り畳み式傘。
【請求項３】
折り畳み式傘（１）を構成するにおいて、
手元（２）に下端が結合固定された下部管（３）の上端と下部管（３）の外部にスライド可能に結合された上部管（４）の下端にそれぞれ拡大された係止管（６）及び縮小された係止管（７）を形成して上昇を制御し、下部管（３）の上端部分に作動孔（３ａ）を通じて外部に露出される係止突起（９）が形成されたプレートスプリング（８）を内装し、上部管（４）の下端部分と中間部分にそれぞれ上記係止突起（９）が挿入されて係止される係止孔（４ａ、４ａ’）を形成した中棒（５）と；
上記プレートスプリング（８）の上端に中心がピンで組み立てられ、作動孔（３ａ）の方は低くて下部管（３）の内面と接し、反対側は高くて、端部を手元（２）に設置した状態で押しボタン（２９）によって回動作動するＬ字状の回動部材（３０）とロープ（３１）で連結して、プレートスプリング（８）に形成された係止突起（９）を下部管（３）の内側に強制的に挿入させる回動レバー（２８）と；
上記上部管（４）の下端部分に形成された係止孔（４ａ）の上部、上部管（４）の外部に固定結合された作動手元（１０）と；
上記中棒（５）の上部管（４）の外部に設置される傘骨アセンブリー（１１）とを含み；
上記傘骨アセンブリー（１１）の結合は上部管（４）の上端に親骨（１２）の内側部材（１２ａ）が回動可能に結合された親骨固定部材（１５）が固設され、その下側上部管（４）の外部には下降すれば傘骨アセンブリー（１１）が開かれて上昇する第１受骨固定部材（１６）と下部が隣接し、親骨固定部材（１５）の方に上昇すれば傘骨アセンブリー（１１）が折り畳まれ、第２受骨（１４）が回動可能に結合された第２受骨固定部材（１７）が設置され、上記作動手元（１０）の上側の上部管（４）の外部には傘骨アセンブリー（１１）が開かれる時上昇して第２受骨固定部材（１７）と上部が隣接し、傘骨アセンブリー（１１）が折り畳まれる時作動手元（１０）の方に下降し、第１受骨（１３）が回動可能に結合された第１受骨固定部材（１６）が設置され；
上記上部管（４）の上端部分には第２受骨固定部材（１７）の昇降幅だけ長く対向する作動長孔（４ｃ）を形成し、上部管（４）の内側に位置して滑車（１８）が軸結合された昇降部材（１９）を上記第２受骨固定部材（１７）と作動長孔（４ｃ）を通じて挿入されるピン（２０）で一体になるように固定し；
上記上部管（４）の内部には作動長孔（４ｃ）の下側に位置するように支持部（２１）を形成し、支持部（２１）と下部管（３）の上端に形成されたロープ固定棒（２２）の上端を滑車（１８）を経由するロープ（２３）で連結し；
上記支持部（２１）と昇降部材（１９）との間にはコイルスプリング（３２）を設置することを特徴とする折り畳み式傘。
【請求項４】
折り畳み式傘（１）を構成するにおいて、
手元（２）に下端が結合固定された下部管（３）の上端と下部管（３）の外部にスライド可能に結合された上部管（４）の下端にそれぞれ拡大された係止管（６）及び縮小された係止管（７）を形成して上昇を制御し、上記上部管（４）の下端部分に係止孔（４ａ）を形成し、その上側に作動手元（１０）を固設した中棒（５）と；
上記手元（２）に設置され、プレートスプリング（２７）に弾性支持されて手元（２）の外部に露出される押圧部（２５ｂ）を有し、中棒（５）が中央に挿入される組立孔（２５ａ）を上下に貫通されるように形成し、組立孔（２５ａ）の内部には上側に傾斜案内面（２６ａ）が備えられた係止突起（２６）を一体に形成した操作ボタン（２５）と；
上記中棒（５）の上部管（４）の外部に設置される傘骨アセンブリー（１１）とを含み；
上記傘骨アセンブリー（１１）の結合は上記上部管（４）の上端に親骨（１２）の内側部材（１２ａ）が回動可能に結合された親骨固定部材（１５）が固設され、その下側上部管（４）の外部には下降すれば傘骨アセンブリー（１１）が開かれて上昇する第１受骨固定部材（１６）と下部が隣接し、親骨固定部材（１５）の方に上昇すれば傘骨アセンブリー（１１）が折り畳まれ、第２受骨（１４）が回動可能に結合された第２受骨固定部材（１７）が設置され、上記作動手元（１０）の上側の上部管（４）の外部には傘骨アセンブリー（１１）が開かれる時上昇して第２受骨固定部材（１７）と上部が隣接し、傘骨アセンブリー（１１）が折り畳まれる時作動手元（１０）の方に下降し、第１受骨（１３）が回動可能に結合された第１受骨固定部材（１６）が設置され；
上記上部管（４）の上端部分には第２受骨固定部材（１７）の昇降幅だけ長く対向する作動長孔（４ｃ）を形成し、上部管（４）の内側に位置して滑車（１８）が軸結合された昇降部材（１９）を上記第２受骨固定部材（１７）と作動長孔（４ｃ）を通じて挿入するピン（２０）で一体になるように固定し；
上記上部管（４）の内部には作動長孔（４ｃ）の下側に位置するように支持部（２１）を形成し、支持部（２１）と下部管（３）の上端に形成されたロープ固定棒（２２）の上端を上記滑車（１８）を経由するロープ（２３）で連結し；
上記下部管（３）の上端に形成された係止管（６）と、上部管（４）の作動長孔（４ｃ）の下側に位置した支持部（２１）の間にはコイルスプリング（２４）を設置することを特徴とする折り畳み式傘。
【請求項５】
折り畳み式傘（１）を構成するにおいて、
手元（２）に下端が結合固定された下部管（３）の上端と下部管（３）の外部にスライド可能に結合された上部管（４）の下端にそれぞれ拡大された係止管（６）及び縮小された係止管（７）を形成して上昇を制御し、上記上部管（４）の下端部分に係止孔（４ａ）を形成し、その対向側に係止突起（４ｄ）を形成した中棒（５）と；
上記手元（２）に設置され、プレートスプリング（２７）に弾性支持されて手元（２）の外部に露出される押圧部（２５ｂ）を有し、中棒（５）が中央に挿入される組立孔（２５ａ）を上下に貫通されるように形成し、組立孔（２５ａ）の内部には上側に傾斜案内面（２６ａ）が備えられた係止突起（２６）を一体に形成した操作ボタン（２５）と；
上記中棒（５）の上部管（４）の外部に設置される傘骨アセンブリー（１１）とを含み；
上記傘骨アセンブリー（１１）の結合は、上部管（４）の上端に親骨（１２）の内側部材（１２ａ）が回動可能に結合された親骨固定部材（１５）が固設され、その下側上部管（４）の外部には下降すれば傘骨アセンブリー（１１）が開かれて上昇する第１受骨固定部材（１６）と下部が隣接し、親骨固定部材（１５）の方に上昇すれば傘骨アセンブリー（１１）が折り畳まれ、第２受骨（１４）が回動可能に結合された第２受骨固定部材（１７）が設置され、上記第２受骨固定部材（１７）の下側の上部管（４）の外部には傘骨アセンブリー（１１）が開かれる時上昇して第２受骨固定部材（１７）と上部が隣接し、傘骨アセンブリー（１１）が折り畳まれる時手元（２）の方に下降し、第１受骨（１３）が回動可能に結合された第１受骨固定部材（１６）が設置され；
上記上部管（４）の上端部分には第２受骨固定部材（１７）の昇降幅だけ長く対向する作動長孔（４ｃ）を形成し、上部管（４）の内側に位置し、滑車（１８）が軸結合された昇降部材（１９）を上記第２受骨固定部材（１７）と作動長孔（４ｃ）を通じて挿入されるピン（２０）で一体になるように固定し；
上記上部管（４）の中間内部には作動長孔（４ｃ）の下側に位置するように支持部（２１）を形成し、支持部（２１）には上記滑車（１８）を経由するロープ（２３）の一端を固定し、ロープ（２３）の他端は昇降部材（１９）の下側に一体に結合されて支持部（２１）に接してスライドする案内管（１９ａ）の内部で昇降するロープ固定棒（２２）と連結し；
上記ロープ固定棒（２２）の下端には係止溝（２２ｂ）が形成されたロープ固定棒（２２）より直径の小さい固定部（２２ａ）を形成して、下部管（３）の下端部分内部に結合されたボタンハウジング（３３）に挿入されるように構成し；
上記ボタンハウジング（３３）には操作ボタン（２５）によって加圧される第２ボタン（３４）をプレートスプリング（３５）に弾性支持されるように設置し；
上記第２ボタン（３４）は中央に上記固定部（２２ａ）が挿入される孔（３４ａ）が上下に貫通され、固定部（２２ａ）に形成された係止溝（２２ｂ）に挿入される上側に傾斜面が形成された係止突起（３４ｂ）を一体に形成して操作ボタン（２５）にスプリングに弾性支持されて上向きに回動され、上記係止突起（４ｄ）に係止されて下向きに回動するように設置した加圧部材（３６）によって傘（１）が折り畳まれた状態で操作ボタン（２５）を加圧する時は加圧力が遮断され、上部管（４）が上昇した状態で傘（１）を畳むために操作ボタン（２５）を加圧する時は加圧され；
上記上部管（４）の中間内部に形成された支持部（２１）と、上記滑車（１８）が設置されている昇降部材（１９）との間にはコイルスプリング（３７）を設置し、上記支持部（２１）と下部管（３）の下端部分の内部に位置するボタンハウジング（３３）との間にはコイルスプリング（３８）をそれぞれ設置することを特徴とする折り畳み式傘。
【発明の詳細な説明】
【技術分野】
【０００１】
本発明は傘骨アセンブリー及び折り畳み式傘に関し、より詳しくは、少ない力で折り畳んだり開くことができる傘骨アセンブリーと、傘骨アセンブリーを利用して手元の方での操作で傘を開いたり折り畳むことができるようにした使用上の便利性を提供する手動または自動的に作動が行われる折り畳み式傘を提供する。
【背景技術】
【０００２】
雨が降る時、体を保護する目的で傘を利用する。一般的に広く使われている傘は長さの長い長傘と畳んでかばんなどに入れることができる保管性の良い折り畳み式傘などが使われている。
【０００３】
このような長傘及び折り畳み式傘は使用者の便利性を図ることができるように、中棒の下端に結合される手元に設けられたボタンを押すだけで傘骨アセンブリーが開かれることができるようにした構成に発展して来た。
【０００４】
上記長傘及び折り畳み式傘は、使用した後畳む時、中棒の上端に位置した受骨固定部材を手で握って中棒の下に引かなければならない。
【０００５】
このような作動は傘の使用に不便を与え、特に作動過程で傘の骨の外側に結合されている傘布に付いている雨によって使用者の体や衣類が濡れるなどの不便があった。
【０００６】
このような不便を解消するための手段として、本発明者は長い傘に対して数回の出願を通じて解消したが、折り畳み式傘では上記した諸問題点を解消することができなかった。
【発明の概要】
【発明が解決しようとする課題】
【０００７】
そこで、本発明者は上記した従来の折り畳み式傘が有する諸問題点を解決するために本発明を創出し、本発明では少ない力で折り畳んだり開くことができる傘骨アセンブリーと、傘骨アセンブリーを利用して手元の方での操作で傘を開いたり折り畳むことができるようにした使用上の便利性を提供する手動または自動的に作動する折り畳み式傘を提供することを本発明の技術的課題として本発明を完成した。
【課題を解決するための手段】
【０００８】
課題を解決する手段として、本発明では傘骨アセンブリーを構成するにおいて、親骨固定部材に円周上に回動可能に一端が結合される内側部材と、内側部材の他端より上側に一端がピンで結合される中間部材と、中間部材の他端に回動可能に一端がピンで結合される外側部材が折り畳まれるように組み立てて構成した複数の親骨と；第１受骨固定部材に円周上に回動可能に一端がピンで結合され、上記親骨の中間部材と平行するように内側部材の端部が中間部分に回動可能にピンで結合され、他端が中間部材と回動可能にピンで結合された外側部材の上端下側にそれぞれピンで回動可能に結合された複数の第１受骨と；上記親骨固定部材と第１受骨固定部材との間に位置する第２受骨固定部材に円周上に回動可能に一端が結合され、他端が上記内側部材と第２受骨の中間部分が結合される部分に一緒にピンで回動可能に結合される複数の第２受骨とで構成され；上記親骨固定部材に親骨の内側部材が回動可能に結合される結合部の直径Ｄ１は第２受骨固定部材に第２受骨が回動可能に結合される結合部の直径Ｄ２より大きい寸法で構成して、第２受骨固定部材を下側へ引いて傘骨アセンブリーを開き、上側に押し上げて傘骨アセンブリーを折り畳むようにしたことを特徴とする。
【０００９】
また、本発明では上記した傘骨アセンブリーを利用する多様な構成の折り畳み式傘を手動または自動に畳んだり開くことができるように構成した。
【発明の効果】
【００１０】
本発明で提供する傘は下記のような効果を奏することができる。
【００１１】
第一、構成が簡単で、且つ低廉な費用で製作して普及可能である。
【００１２】
第二、故障の虞を解消することができる。
【００１３】
第三、手元で短い行程距離内で傘を容易に開いたり畳むことができる使用上の便利性がありながらも作動安全性を保障することができる。
【００１４】
第四、少ない力でも傘を容易に開いたり畳むことができる。
【図面の簡単な説明】
【００１５】
【図１】本発明で提供する好ましい傘骨アセンブリー構成を示す断面図で、傘骨アセンブリーが開かれた状態図である。
【図２】本発明で提供する好ましい傘骨アセンブリー構成を示す断面図で、傘骨アセンブリーが折り畳まれた状態図である。
【図３】本発明の好ましい第１実施形態で、折り畳み式傘が開かれた状態を示す断面図である。
【図４】本発明の好ましい第１実施形態で、折り畳み式傘が折り畳まれた状態を示す断面図である。
【図５】本発明の好ましい第２実施形態で、折り畳み式傘が開かれた状態を示す断面図である。
【図６】本発明の好ましい第２実施形態で、折り畳み式傘が折り畳まれた状態を示す断面図である。
【図７】本発明の好ましい第３実施形態で、折り畳み式傘が開かれた状態を示す断面図である。
【図８】本発明の好ましい第３実施形態で、折り畳み式傘が折り畳まれた状態を示す断面図である。
【図９】本発明の好ましい第４実施形態で、折り畳み式傘が開かれた状態を示す断面図である。
【図１０】本発明の好ましい第４実施形態で、折り畳み式傘の傘骨アセンブリーのみ折り畳まれた状態を示す断面図である。
【図１１】本発明の好ましい第４実施形態で、折り畳み式傘の傘骨アセンブリーのみ折り畳まれた状態でコイルスプリングを圧縮した状態を示す断面図である。
【図１２】本発明の好ましい第４実施形態に適用された操作ボタンの結合状態を示す平断面図である。
【発明を実施するための形態】
【００１６】
以下で添付された図面に基づいて本発明で提供する実施形態の構成を説明する。
【００１７】
図１は本発明で提供する好ましい傘骨アセンブリー構成を示す断面図で、傘骨アセンブリーが開かれた状態図を示し、図２は本発明で提供する好ましい傘骨アセンブリー構成を示す断面図で、傘骨アセンブリーが折り畳まれた状態図を示す。
【００１８】
本発明で提供する傘骨アセンブリー１１は折り畳まれるように、内側部材１２ａと中間部材１２ｂ及び外側部材１２ｃを組み合わせた複数の親骨１２と、親骨１２の中間部材１２ｂと平行するように内側部材１２ａと外側部材１２ｃにピンで連結された複数の第１受骨１３及び内側部材１２ａと第１受骨１３の結合部位に一緒に結合される複数の第２受骨１４とを含む構成である。
【００１９】
即ち、親骨固定部材１５に円周上に回動可能に一端が結合される内側部材１２ａと、内側部材１２ａの他端より上側に回動可能に一端がピンで結合される中間部材１２ｂと、中間部材１２ｂの他端に一端がピンで回動可能に結合される外側部材１２ｃが折り畳まれるように組み立てて構成した複数の親骨１２と、第１受骨固定部材１６に円周上に回動可能に一端が結合され、上記親骨１２の中間部材１２ｂと平行するように内側部材１２ａの端部が中間部分に回動可能にピンで結合され、他端が中間部材１２ｂと回動可能にピンで結合された外側部材１２ｃの上端下側にそれぞれピンで回動可能に結合された複数の第１受骨１３と、上記親骨固定部材１５と第１受骨固定部材１６との間に位置する第２受骨固定部材１７に円周上に回動可能に一端が結合され、他端が上記内側部材１２ａと第１受骨１３の中間部分が結合される部分に一緒にピンで回動可能に結合される第２受骨１４とを含む構成からなる。
【００２０】
また、上記親骨固定部材１５に親骨１２の内側部材１２ａが回動可能に結合される結合部の直径Ｄ１は第２受骨固定部材１７に第２受骨１４が回動可能に結合される結合部の直径Ｄ２より大きい寸法で構成される。
【００２１】
上記した本発明の傘骨アセンブリー１１は従来の一般的な傘骨アセンブリーで、第１受骨固定部材１６を上方に押して傘骨アセンブリー１１を開き、下方へ引いて傘骨アセンブリー１１を折り畳むときとは異なって親骨固定部材１５と第１受骨固定部材１６との間に位置する第２受骨固定部材１７を下側へ引いて傘骨アセンブリー１１を開き、上側に押し上げて傘骨アセンブリー１１を折り畳む独特な構成である。
【００２２】
即ち、上記のように構成された傘骨アセンブリー１１で第２受骨固定部材１７が下方へ移動すると第２受骨固定部材１７に円周上に回動可能に一端が結合され、他端が上記内側部材１２ａと第１受骨１３の中間部分が結合される部分に一緒にピンで回動可能に結合される第２受骨１４が上記ピンで結合される部分を外方へ押して回動させて傘骨アセンブリー１１が開かれ、第２受骨固定部材１７が上方へ移動すると第２受骨固定部材１７に円周上に回動可能に一端が結合され、他端が上記内側部材１２ａと第１受骨１３の中間部分が結合される部分に一緒にピンで回動可能に結合される第２受骨１４が上記ピンで結合される部分を内方へ引いて回動させて傘骨アセンブリー１１が折り畳まれる。
【００２３】
このような構成は短い行程距離を少ない力で傘骨アセンブリー１１を開いたり折り畳むことができるようにするための構成である。
【００２４】
本発明のように、上記第２受骨１４が結合される結合部の直径Ｄ２より親骨１２の内側部材１２ａが結合される結合部の直径Ｄ１が大きくなるほど傘骨アセンブリー１１を少ない力でより容易に開いたり折り畳むことができる。
【００２５】
図３は本発明の好ましい第１実施形態で折り畳み式傘が開かれた状態を示す断面図を示し、図４は本発明の好ましい第１実施形態で折り畳み式傘が折り畳まれた状態を示す断面図を示す。
【００２６】
本発明の第１実施形態で提供する折り畳み式傘１は手動式で開いたり折り畳むように構成された。図示したように、手元２に下端が結合固定された下部管３と、下部管３の外部にスライド可能に結合された上部管４とを含む構成で中棒５を構成する。
【００２７】
上記中棒５を構成する下部管３の上端には拡大された係止管６を形成して上部管４の下端に形成された縮小された係止管７が係止されて上部管４の上昇を制御し、また下部管３の上端部分と下端部分にはそれぞれ作動孔３ａ、３ｂを通じて外部に露出される係止突起９が形成されたプレートスプリング８を内装し、上部管４の下端部分には上記プレートスプリング８に形成された係止突起９が挿入係止される係止孔４ａを形成する。
【００２８】
上記上部管４の下端部分に形成された係止孔４ａの外部には作動手元１０がスライド可能に結合され、係止孔４ａの上下側に位置するように上部管４の外部に係止突部４ｂを形成して作動手元１０が任意に離脱されないようにし、上記作動手元１０の内側には上部管４に形成された係止孔４ａを通じて露出されるプレートスプリング８に形成された係止突起９が挿入される挿入溝１０ａを形成する。
【００２９】
上記作動手元１０は、手で握って上下に移動する時、挿入溝１０ａに位置するプレートスプリング８の係止突起９を加圧する機能をする。
【００３０】
上記挿入溝１０ａは環状に形成されて作動手元１０が回動しても機能性を維持することができる。
【００３１】
また、中棒５の上部管４の外部には本発明で提示する傘骨アセンブリー１１が設置され、上記上部管４の上端には親骨１２の内側部材１２ａが回動可能に結合される親骨固定部材１５が固設され、その下側の上部管４の外部には下降すれば傘骨アセンブリー１１が開かれて上昇する第１受骨固定部材１６と下部が隣接し、親骨固定部材１５の方に上昇すれば傘骨アセンブリー１１が折り畳まれ、第２受骨１４が回動可能に結合される第２受骨固定部材１７が設置され、上記作動手元１０の上側の上部管４の外部には傘骨アセンブリー１１が開かれる時上昇して第２受骨固定部材１７と上部が隣接し、傘骨アセンブリー１１が折り畳まれた時作動手元１０の方に下降し、第１受骨１３が回動可能に結合される第１受骨固定部材１６が設置される。
【００３２】
上記上部管４の上端部分には第２受骨固定部材１７の昇降幅だけ長く対向する作動長孔４ｃを形成し、上部管４の内側に位置して滑車１８が軸結合された昇降部材１９を上記第２受骨固定部材１７と作動長孔４ｃを通じて挿入されるピン２０で一体になるように固定する。
【００３３】
上記上部管４の内部には作動長孔４ｃの下側に位置するように支持部２１を形成し、支持部２１と下部管３の上端に形成されたロープ固定棒２２の上端を上記滑車１８を経由するロープ２３で連結する。
【００３４】
以上のように構成される本発明の第１実施形態で提供する折り畳み式傘１は、上記で言及したように、手元２と作動手元１０を手で握って手元２を上下に移動させることで、傘１を短い行程距離で少ない力で容易に開いたり折り畳むことができる。以下で作動例を説明する。
【００３５】
まず、傘１が図４のように折り畳まれた状態で傘１を開く時には上部管４の下端に結合されている作動手元１０を手で把持した状態で手元２を下へ引っ張れば良い。
【００３６】
上記のように、作動手元１０を手で握って手元２を引っ張ると相対的に作動手元１０が上向き移動されながら作動手元１０の内部に形成されている挿入溝１０ａに下部管３の下側に挿入されている下側プレートスプリング８に形成された係止突起９が加圧されて、作動孔３ｂを通じて上部管４の下端部分に形成された係止孔４ａから離脱されて、下部管３が続いて下降して下部管３の上側に挿入されている上側プレートスプリング８の係止突起９が作動孔３ａを通じて上部管４の下端部分に形成された係止孔４ａに挿入されて中棒２が伸びた状態で固定され、傘骨アセンブリー１１も開かれる。
【００３７】
上記で作動手元１０は上部管４の下端部分の外部に形成された上側の係止突部４ｂに係止されて停止し、挿入溝１０ａには下部管３の上側に挿入されている上側プレートスプリング８の係止突起９が挿入された図３のような状態になる。
【００３８】
上記傘骨アセンブリー１１を開く作動は、下部管３が上部管４でスライディングして下降すれば下部管３の上端に形成されたロープ固定棒２２も下降しながら上部管４に形成された支持部２１とロープ固定棒２２の上端に昇降部材１９に軸結合された滑車１８を経由して連結されたロープ２３を引っ張って昇降部材１９を下降させる。この時、上記昇降部材１９とピン２０で結合されている第２受骨固定部材１７も一緒に下降して第２受骨固定部材１７と親骨１２の内側部材１２ａの端部に回動可能に結合された第２受骨１４を上部管４の外方へ回動させて内側部材１２ａを上部管４の外方へ回動させ、また第１受骨固定部材１６も上向きに移動させて傘骨アセンブリー１１の連動作用によって傘骨アセンブリー１１が開かれる。
【００３９】
上記で言及したように親骨１２が回動可能に結合される結合部の直径Ｄ１は第２受骨１４が結合される結合部の直径Ｄ２より大きい寸法で構成され、上記の滑車１８を利用して第２受骨固定部材１７の移動距離より下部管３の移動距離が２倍大きく構成されているので、作動手元１０を手で握って手元２を少ない力で下へ引いて傘骨アセンブリー１１も開き、中棒５も伸ばすことができる。
【００４０】
上記のように、傘１を使用した後折り畳む時には、上記と反対に手元２を手で握った状態で作動手元１０を下へ引いて下向きに移動させれば良い。
【００４１】
上記のように、上部管４の下端部分の外部に形成された上側係止突部４ｂに係止されて停止し、挿入溝１０ａに上側プレートスプリング８の係止突起９が挿入されている作動手元１０を下向きに移動させれば、作動手元１０の内部に形成されている挿入溝１０ａに下部管３の上側に挿入されている上側プレートスプリング８に形成された係止突起９が加圧されながら、作動孔３ａを通じて上部管４の下端部分に形成された係止孔４ａから離脱され、さらに下側の係止突部４ｂに係止されて上部管４を引き続き下降させて下部管３の下側に挿入されている下側プレートスプリング８の係止突起９が作動孔３ｂを通じて上部管４の下端に形成された係止孔４ａに挿入されて中棒２が折り畳まれて固定され、傘骨アセンブリー１１も折り畳まれた図４のような状態になる。
【００４２】
上記傘骨アセンブリー１１を折り畳む作動は、作動手元１０と一緒に上部管４が下向きに移動されながら相対的に下部管３の上端に形成されたロープ固定棒２２が上向きに移動されて昇降部材１９を支持しているロープ２３が緩んで傘布の張力によって傘骨アセンブリー１１がある程度折り畳まれ、引き続きロープ固定棒２２の上端が昇降部材１９の下端を押し上げて傘骨アセンブリー１１が完全に折り畳まれる。
【００４３】
図５は本発明の好ましい第２実施形態で折り畳み式傘が開かれた状態を示す断面図を示し、図６は本発明の好ましい第２実施形態で折り畳み式傘が折り畳まれた状態を示す断面図を示す。
【００４４】
本発明の第２実施形態で提供する折り畳み式傘１は手動で開いて自動に折り畳むように構成した。傘骨アセンブリー１１の構成など基本的な概念は上記第１実施形態と同じである。
【００４５】
本発明の第２実施形態は、図示したように、手元２に下端が結合固定された下部管３と下部管３の外部にスライド可能に結合された上部管４とを含む構成で中棒５を構成する。
【００４６】
上記中棒５を構成する下部管３の上端には拡大された係止管６を形成して上部管４の下端に形成された縮小された係止管７が係止されて上部管４の上昇を制御し、また下部管３の上端部分には作動孔３ａを通じて外部に露出される係止突起９が形成されたプレートスプリング８を内装し、上部管４の下端部分と中間部分にそれぞれ上記プレートスプリング８に形成された係止突起９が挿入されて係止される係止孔４ａ、４ａ’を形成する。
【００４７】
上記プレートスプリング８の上端には回動レバー２８の中心がピンで組み立てられ、上記回動レバー２８は作動孔３ａの方は低くて、下部管３の内面と接するように、反対側は高くて、端部を手元２に設置された状態で押しボタン２９によって回動作動するＬ字状の回動部材３０とロープ３１で連結して、プレートスプリング８に形成された係止突起９を下部管３の内側に強制的に挿入させることができる。
【００４８】
上記上部管４の下端部分に形成された係止孔４ａの上部には作動手元１０が上部管４の外部に固設されて傘１を開く時に用いられる。
【００４９】
また、中棒５の上部管４の外部には本発明で提示する傘骨アセンブリー１１が設置され、上記上部管４の上端には親骨１２の内側部材１２ａが回動可能に結合される親骨固定部材１５が固設され、その下側には下降すれば傘骨アセンブリー１１が開かれて上昇する第１受骨固定部材１６と下部が隣接し、親骨固定部材１５の方へ上昇すれば傘骨アセンブリー１１が折り畳まれる第２受骨１４が回動可能に結合された第２受骨固定部材１７が設置され、上記作動手元１０の上側の上部管４の外部には傘骨アセンブリー１１が開かれる時上昇して第２受骨固定部材１７と上部が隣接し、傘骨アセンブリー１１が折り畳まれる時作動手元１０の方に下降する第１受骨１３が回動可能に結合された第１受骨固定部材１６が設置される。
【００５０】
上記上部管４の上端部分には第２受骨固定部材１７の昇降幅だけ長く対向する作動長孔４ｃを形成し、上部管４の内側に位置し、滑車１８が軸結合された昇降部材１９を上記第２受骨固定部材１７と作動長孔４ｃを通じて挿入されるピン２０で一体になるように固定する。
【００５１】
上記上部管４の内部には作動長孔４ｃの下側に位置するように支持部２１を形成し、支持部２１と下部管３の上端に形成されたロープ固定棒２２の上端を上記滑車１８を経由するロープ２３で連結する。
【００５２】
また、上記上部管４の作動長孔４ｃの下側に位置する支持部２１と上記滑車１８が設置されている昇降部材１９との間にはコイルスプリング３２を設置する。
【００５３】
上記コイルスプリング３２は作動手元１０を手で握って手元２を引っ張って傘１を開く時圧縮され、傘１を折り畳む時膨脹されながら傘１が自動的に折り畳まれるようにする機能を有する。
【００５４】
以上のように構成される本発明の第２実施形態で提供する折り畳み式傘１は、上記で言及したように、作動手元１０を手で握って手元２を引っ張って傘１を少ない力で容易に開き、手元２に設置される押しボタン２９を加圧する時傘１をコイルスプリング３２の膨脹によって折り畳むことができる。以下で作動例を説明する。
【００５５】
まず、傘１が図６のように折り畳まれた状態で傘１を開く時には、上部管４の下端部分に結合されている作動手元１０を手で握った状態で手元２に設置された押しボタン２９を押した状態で手元２を引っ張れば良い。
【００５６】
上記のように、手元２に設置された押しボタン２９を押せば、手元２に回動可能に設置されているＬ字状の回動部材３０が回動しながら下部管３の上側内部に設置されているプレートスプリング８にピンで組み立てられている回動レバー２８がロープ３１によって引かれて上記プレートスプリング８の係止突起９が作動孔３ａを通じて上部管４の中間部分に形成された係止孔４ａ’から離脱され、この状態で作動手元１０を手で握って手元２をずっと引きながら押しボタン２９を加圧しないと下部管３が続けて下降して作動孔３ａを通じて上部管４の下端部分に形成された係止孔４ａに上記プレートスプリング８の係止突起９が挿入されて係止されて中棒５が伸びた状態で固定される。
【００５７】
上記で下部管３が下降すれば下部管３の上端に形成されたロープ固定棒２２も下降して上部管４に形成された支持部２１とロープ固定棒２２の上端に昇降部材１９に軸結合された滑車１８を経由して連結されたロープ２３を引っ張って昇降部材１９を下降させる。この時、上記昇降部材１９とピン２０で結合されている第２受骨固定部材１７も一緒に下降して第２受骨固定部材１７と親骨１２の内側部材１２ａの端部に回動可能に結合された第２受骨１４を上部管４の外方へ回動させて内側部材１２ａを上部管４の外方へ回動させ、また第１受骨固定部材１６も上向きに移動させて傘骨アセンブリー１１の連動作用によって傘骨アセンブリー１１が開かれた図５のような状態になる。この時、支持部２１と昇降部材１９との間に設置されたコイルスプリング３２が上記昇降部材１９が下降することによって圧縮されて、その後の傘１を折り畳む時膨脹されて傘１が自動に折り畳まれる。
【００５８】
上記で言及したように、親骨１２が回動可能に結合される結合部の直径Ｄ１が第２受骨１４が回動可能に結合される結合部の直径Ｄ２より大きい寸法で構成され、上記の滑車１８を利用して第２受骨固定部材１７の移動距離より下部管３の移動距離が２倍大きく構成されているので、作動手元を手で握って少ない力で手元２を下に引いてコイルスプリング３２を圧縮しながら傘骨アセンブリー１１も開き、中棒も伸ばして固定することができる。
【００５９】
上記のように、傘１を使用した後折り畳む時には、手元２に設置された押しボタン２９を押せば良い。上記のように、押しボタン２９を押せば手元２に回動可能に設置されているＬ字状の回動部材３０が回動されながら、下部管３の上端に挿入されているプレートスプリング８にピンで組み立てられている回動レバー２８がロープ３１によって引っ張られる。この時、回動レバー２８は一端が下部管３の内壁に接した状態でレバーの役割を果たしながらプレートスプリング８に一体に形成された係止突起９を上部管４の下端部分に形成された係止孔４ａから分離させ、圧縮されていたコイルスプリング３２が膨脹しながら昇降部材１９とピン２０で結合されている第２傘骨固定部材１７を親骨固定部材１５の方へ上昇させて傘骨アセンブリー１１を折り畳み、ロープで連結されている下部管３を引っ張って中棒２も縮むようにする。押しボタン２９を加圧しなければ上部管４の中間部分に形成された係止孔４ａ’にプレートスプリング８の係止突起９が挿入されて傘１が折り畳まれた図６のような状態を保持する。
【００６０】
図７は本発明の好ましい第３実施形態で折り畳み式傘が開かれた状態を示す断面図を示し、図８は本発明の好ましい第３実施形態で折り畳み式傘が折り畳まれた状態を示す断面図を示す。
【００６１】
本発明の第３実施形態で提供する折り畳み式傘１は自動に開いて手動で折り畳むように構成され、傘骨アセンブリー１１の構成など基本的な概念は上記第１実施形態と同じである。
【００６２】
本発明の第３実施形態は、図示したように、手元２に下端が結合固定された下部管３と下部管３の外部にスライド可能に結合された上部管４を含む構成で中棒５を構成する。
【００６３】
上記中棒５を構成する下部管３の上端には拡大された係止管６を形成して上部管４の下端に形成された縮小された係止管７が係止されて上部管４の上昇を制御し、上部管４の下端部分には上部管４が手元２の内側に挿入された状態で手元２に設置されている操作ボタン２５に一体に形成される係止突起２６が挿入される係止孔４ａを形成し、その上側に作動手元１０を固設する。
【００６４】
上記操作ボタン２５はプレートスプリング２７に弾性支持されて、手元２の外部に露出される押圧部２５ｂを有し、中棒５が中央に挿入される組立孔２５ａを上下に貫通されるように形成し、組立孔２５ａの内に上記係止突起２６を形成した構成で、後述する傘骨アセンブリー１１が折り畳まれる時上部管４が下降した状態で上部管４に形成される係止孔４ａに自然に挿入されるように組立孔２５ａの内に形成された係止突起２６には上側に傾斜案内面２６ａを形成する。
【００６５】
また、中棒５の上部管４の外部には本発明で提示する傘骨アセンブリー１１が設置される。上記上部管４の上端には親骨１２の内側部材１２ａが回動可能に結合された親骨固定部材１５が固設され、その下側上部管４の外部には、下降すれば傘骨アセンブリー１１が開かれて上昇する第１受骨固定部材１６と下部が隣接し、親骨固定部材１５の方に上昇すれば傘骨アセンブリー１１が折り畳まれる第２受骨１４が回動可能に結合された第２受骨固定部材１７が設置され、上記作動手元１０の上側の上部管４の外部には傘骨アセンブリー１１が開かれる時上昇して第２受骨固定部材１７と上部が隣接し、傘骨アセンブリー１１が折り畳まれる時作動手元１０の方に下降する第１受骨１３が回動可能に結合された第１受骨固定部材１６が設置される。
【００６６】
上記上部管４の上端部分には第２受骨固定部材１７の昇降幅だけ長く対向する作動長孔４ｃを形成し、上部管４の内側に位置して滑車１８が軸結合された昇降部材１９を上記第２受骨固定部材１７と作動長孔４ｃを通じて挿入されるピン２０で一体になるように固定する。
【００６７】
上記上部管４の内部には作動長孔４ｃの下側に位置するように支持部２１を形成し、支持部２１と下部管３の上端に形成されたロープ固定棒２２の上端を上記滑車１８を経由するロープ２３で連結する。
【００６８】
また、上記下部管３の上端に形成される拡大された係止管６と上部管４の作動長孔４ｃの下側に位置する支持部２１との間にはコイルスプリング２４を設置する。
【００６９】
上記コイルスプリング２４は傘１を折り畳む時圧縮され、傘１を開く時膨脹されて、傘１を自動的に開くようにする機能を有する。
【００７０】
以上のように構成される本発明の第３実施形態で提供する折り畳み式傘１は、上記で言及したように、手元２に備えられた操作ボタン２５を加圧すれば傘１が開き、傘１が開かれた状態で手元２と作動手元１０を手で握って作動手元１０を下向きに移動させれば傘を折り畳むことができる。以下で作動例を説明する。
【００７１】
まず、傘１が図８のように折り畳まれた状態で開く時には、手元２に設けられた操作ボタン２５の押圧部２５ｂを加圧して操作ボタン２５の組立孔２５ａ内に形成された係止突起２６を上部管４の下端部分に形成されている係止孔４ａから離脱させる。
【００７２】
この時、下部管３の上端に形成される拡大された係止管６と上部管４の作動長孔４ｃの下側に位置する支持部２１との間に圧縮状態であったコイルスプリング２４が膨脹しながら下部管３が上部管４でスライディングして引出されながら傘骨アセンブリー１１を開く。
【００７３】
上記傘骨アセンブリー１１を開く作動は、下部管３が上部管４でスライディングして下降すれば下部管３の上端に形成されたロープ固定棒２２も下降して上部管４に形成された支持部２１とロープ固定棒２２の上端に昇降部材１９に軸結合された滑車１８を経由して連結されたロープ２３を引っ張って昇降部材１９を下降させる。この時、上記昇降部材１９とピン２０に結合されている第２受骨固定部材１７も一緒に下降して第２受骨固定部材１７と親骨１２の内側部材１２ａの端部に回動可能に結合された第２受骨１４を上部管４の外方へ回動させて内側部材１２ａも上部管４の外方へ回動させ、また第１受骨固定部材１６も上向きに移動させて傘骨アセンブリー１１の連動作用によって傘骨アセンブリー１１が開かれた図７のような状態になる。
【００７４】
上記で言及したように、親骨１２が結合される結合部の直径Ｄ１が第２受骨１４が結合される結合部の直径Ｄ２より大きい寸法に構成され、上記の滑車１８を利用して第２受骨固定部材１７の移動距離より下部管３の移動距離が２倍大きく構成されているので、弱い強度のコイルスプリング２４で傘骨アセンブリー１１を開き、中棒５を伸ばすことができる。
【００７５】
上記のように、傘１を使用した後畳む時には、手元２を手で握った状態で作動手元１０を下に引いて下向きに移動させれば良い。作動手元１０と一緒に上部管４が下向きに移動されると相対的に手元２と一緒に下部管３が上向きに移動されて下部管３の上端に形成された拡大された係止管６と上部管４の内部の支持部２１との間に設置されたコイルスプリング２４を圧縮しながら上昇して上部管４の下端に形成された係止孔４ａに操作ボタン２５の係止突起２６が挿入されて中棒２が折られて固定され、傘骨アセンブリー１１も折り畳まれた図８のような状態になる。
【００７６】
上記傘骨アセンブリー１１を折り畳む作動は、作動手元１０と一緒に上部管４が下向きに移動されると相対的に手元２と一緒に下部管３と下部管３の上端に形成されたロープ固定棒２２が上向きに移動されて昇降部材１９を支持しているロープ２３が緩んで傘布の張力によって傘骨アセンブリー１１がある程度折り畳まれ、引き継いでロープ固定棒２２の上端が昇降部材１９の下端を押し上げて傘骨アセンブリー１１が完全に折り畳まれる。
【００７７】
図９は本発明の好ましい第４実施形態で折り畳み式傘が開かれた状態を示す断面図を示し、図１０は本発明の好ましい第４実施形態で折り畳み式傘の傘骨アセンブリーのみ折り畳まれた状態を示す断面図を示し、図１１は本発明の好ましい第４実施形態で折り畳み式傘の傘骨アセンブリーのみ折り畳まれた状態でコイルスプリングを圧縮して傘を折り畳んだ状態を示す断面図を示し、図１２は本発明の好ましい第４実施形態に適用された操作ボタンの結合状態を示す平断面図を示す。
【００７８】
本発明の第４実施形態で提供する折り畳み式傘１は自動的に開かれたり折り畳まれるように構成され、上記第３実施形態のように自動に開いた状態で第２実施形態のように自動に折り畳まれるように構成され、傘骨アセンブリー１１の構成及び基本的な概念は上記第１実施形態と同じである。
【００７９】
本発明の第４実施形態は、図示したように、手元２に下端が結合固定された下部管３と下部管３の外部にスライド可能に結合された上部管４とを含む構成で中棒５を構成する。
【００８０】
上記中棒５を構成する下部管３の上端には拡大された係止管６を形成して上部管４の下端に形成された縮小された係止管７が係止されて上部管４の上昇を制御し、上部管４の下端部分には上部管４が手元２の内側に挿入された状態で手元２に設置されている操作ボタン２５に一体に形成される係止突起２６が挿入される係止孔４ａを形成し、その対向側に係止突起４ｄを形成する。
【００８１】
上記操作ボタン２５はプレートスプリング２７に弾性支持されて手元２の外部に露出される押圧部２５ｂを有し、中棒５が中央に挿入される組立孔２５ａを上下に貫通されるように形成し、組立孔２５ａの内に上記係止突起２６を形成した構成で、後述する傘骨アセンブリー１１が折り畳まれる時上部管４が下降した状態で上部管４に形成される係止孔４ａに自然に挿入されるように組立孔２５ａの内に形成された係止突起２６には上側に傾斜案内面２６ａを形成する。
【００８２】
また、中棒５の上部管４の外部には本発明で提示する傘骨アセンブリー１１が設置され、上記上部管４の上端には親骨１２の内側部材１２ａが回動可能に結合された親骨固定部材１５が固設され、その下側には下降すれば傘骨アセンブリー１１が開かれて上昇する第１受骨固定部材１６と下部が隣接し、親骨固定部材１５の方に上昇すれば傘骨アセンブリー１１が畳まれる第２受骨１４が回動可能に結合された第２受骨固定部材１７が設置され、その下側の上部管４の外部には傘骨アセンブリー１１が開かれる時上昇して第２受骨固定部材１７と上部が隣接し、傘骨アセンブリー１１が畳まれる時手元２の方に下降する第１受骨１３が回動可能に結合された第１受骨固定部材１６が設置される。
【００８３】
上記上部管４の上端部分には第２受骨固定部材１７の昇降幅だけ長く対向する作動長孔４ｃを形成し、上部管４の内側に位置して滑車１８が軸結合された昇降部材１９を上記第２受骨固定部材１７と作動長孔４ｃを通じて挿入されるピン２０で一体になるように固定する。
【００８４】
上記上部管４の中間内部には作動長孔４ｃの下側に位置するように支持部２１を形成し、支持部２１には上記滑車１８を経由するロープ２３の一端を固定し、ロープ２３の他端はロープ固定棒２２と連結する。
【００８５】
上記ロープ固定棒２２は傘１を畳んだ状態である時、手元２の上端に位置するように昇降部材１９に一体に結合されて支持部２１に接してスライドする案内管１９ａの内部で昇降されるように構成して安定した作動性を提供することができる。
【００８６】
上記ロープ固定棒２２の下端には係止溝２２ｂが形成されたロープ固定棒２２より直径の小さい固定部２２ａが形成され、固定部２２ａは下部管３の下端部分の内部に結合されたボタンハウジング３３に挿入される。
【００８７】
上記ボタンハウジング３３には操作ボタン２５によって加圧される第２ボタン３４がプレートスプリング３５に弾性支持されるように設置され、上記第２ボタン３４は中央に固定部２２ａが挿入される孔３４ａが貫通され、固定部２２ａに形成されている係止溝２２ｂに挿入される上側に傾斜面が形成された係止突起３４ｂが一体型に形成される。
【００８８】
上記第２ボタン３４は傘１が畳まれた状態で操作ボタン２５を加圧する時は加圧力が遮断され、上部管４が上昇した状態で傘１を畳むために操作ボタン２５を加圧する時は加圧力が提供されることができるように操作ボタン２５に加圧部材３６をスプリングに弾性支持されて上向きに回動されるように設置し、上部管４の下端部分には係止孔４ａの対向側に係止突起４ｄを形成して傘１が畳まれた状態で上部管４を手元２の方に固定する時上記加圧部材３６を下側に回動させる。
【００８９】
また、上記上部管４の中間内部に形成された支持部２１と、上記滑車１８が設置されている昇降部材１９との間にはコイルスプリング３７を設置し、上記支持部２１と下部管３の下端部分の内部に位置するボタンハウジング３３との間にはコイルスプリング３８をそれぞれ設置する。
【００９０】
以上のように構成される本発明の第４実施形態で提供する折り畳み式傘１は、上記で言及したように、手元２に備えられた操作ボタン２５を加圧すれば傘１が開かれ、傘１が開かれた状態で手元２に備えられた操作ボタン２５を再び加圧すれば傘１が畳まれる。以下で作動例を説明する。
【００９１】
まず、傘１が畳まれた図１１のような状態で開く時には、手元２に設けられた操作ボタン２５を加圧する。
【００９２】
上記のように、操作ボタン２５の押圧部２５ｂを加圧すれば上部管４の下端部分に形成されている係止孔４ａから操作ボタン２５に一体に形成されている係止突起２６が離脱される。この時上部管４の内部中間部分に形成された支持部２１と下部管３の下端部分の内部に位置するボタンハウジング３３の間に圧縮されているコイルスプリング３８の膨張力によって下部管３が上部管４でスライディングして引出されながら傘骨アセンブリー１１が開かれ、中棒５も伸びる。
【００９３】
上記で押圧部２５ｂを加圧すれば係止突起４ｄに係止されて、下向きに傾斜された状態で上部管４と接している加圧部材３６がさらに下向きに傾斜され、上記状態で、手元２から上部管４が抜けると、加圧部材３６が第２ボタン３４と接触するが、加圧部材３６を上向きに移動させるスプリングの強度が弱くて第２ボタン３４を加圧して移動させることができない。押圧部２５ｂの加圧を解除すれば加圧部材３６は回動して水平に止められた状態で第２ボタン３４と対向するようになって、傘１を畳む時押圧部２５ｂを加圧すれば第２ボタン３４を加圧することができる。
【００９４】
上記傘骨アセンブリー１１を開く作動は、下部管３が上部管４でスライディングして下降すれば下部管３の内部に結合されたボタンハウジング３３に形成された第２ボタン３４の係止突起３４ｂがロープ固定棒２２の下端部の固定部２２ａに形成された係止溝２２ｂに係止されて固定されているのでロープ固定棒２２も下降して上部管４の内部中間部分に形成された支持部２１とロープ固定棒２２の上端に昇降部材１９に軸結合された滑車１８を経由して連結されたロープ２３を引っ張って昇降部材１９を下降させる。この時、上記昇降部材１９とピン２０で結合されている第２受骨固定部材１７も一緒に下降して、第２受骨固定部材１７と親骨１２の内側部材１２ａの端部に回動可能に結合された第２受骨１４を上部管４の外方へ回動させて内側部材１２ａを上部管４の外方へ回動させ、また第１受骨固定部材１６も上向きに移動させて傘骨アセンブリー１１の連動作用によって傘骨アセンブリー１１が開かれ、中棒５も伸びた図９のような状態になる。
【００９５】
上記で昇降部材１９が下降すると昇降部材１９と支持部２１との間に設置されたコイルスプリング３７が圧縮され、その後の傘骨アセンブリー１１を畳む時に用いる。上記で言及したように、親骨１２が結合される結合部の直径Ｄ１が第２受骨１４が結合される結合部の直径Ｄ２より大きい寸法で構成され、上記滑車１８を利用して、第２受骨固定部材１７の移動距離より下部管３の移動距離が２倍大きく構成されているので、人力で無理なく圧縮することができる強度のコイルスプリング３８でコイルスプリング３７を圧縮しながら傘骨アセンブリー１１も開き、中棒５も伸ばすことができる。
【００９６】
また、傘１を使用した後畳む時には手元２に設けられた操作ボタン２５を再び加圧する。
【００９７】
即ち、上記のように、傘１を開く時、上部管４が手元２から抜けて上部管４の下端に形成された係止突起４ｄに押されていた加圧部材３６が水平状態に復元されて第２ボタン３４と対向する状態であるので、操作ボタン２５を押すとこの加圧部材３６によってボタンハウジング３３内に設置されている第２ボタン３４が押される。この時、第２ボタン３４に形成された係止突起３４ｂがロープ固定棒２２の下端部の固定部２２ａに形成された係止溝２２ｂから分離され、滑車１８が軸設されている昇降部材１９と上部管４の内部の支持部２１との間に圧縮されているコイルスプリング３７が膨脹しながら第２受骨固定部材１７を親骨固定部材１５の方に上向きに移動させて傘骨アセンブリー１１を畳んだ図１０のような状態になる。
【００９８】
上記のように、傘骨アセンブリー１１が畳まれた状態で使用するためには、親骨固定部材１５を地面等に支持した状態で手元２を加圧してコイルスプリング３８を圧縮する。
【００９９】
上記のように、手元２を加圧してコイルスプリング３８を圧縮しながら下部管３を上部管４の内部に挿入すると、上部管４の下端部分に形成されている係止孔４ａに操作ボタン２５に一体に形成される係止突起２６が挿入されて係止され、上部管４の下端部分に形成された係止突起４ｄに加圧部材３６が押されて下向きに回動される。また第２ボタン３４に形成された係止突起３４ｂがロープ固定棒２２の下端の固定部２２ａに形成された係止溝２２ｂに挿入された状態で上部管４が手元２に固定されて傘１を畳んだ図１１のような状態になる。
【産業上の利用可能性】
【０１００】
本発明で提供する傘は構成が簡単で、且つ低廉な費用で製作して普及可能であり、故障の虞を解決することができ、手元で短い行程距離内で傘を容易に開いたり畳むことができる使用が便利でありながらも作動安全性を保障することができ、少ない力でも傘を容易に開いたり畳むことができるので産業上の利用可能性がある。
【図１】
2013503689.tif 000003
【図２】
2013503689.tif 000004
【図３】
2013503689.tif 000005
【図４】
2013503689.tif 000006
【図５】
2013503689.tif 000007
【図６】
2013503689.tif 000008
【図７】
2013503689.tif 000009
【図８】
2013503689.tif 000010
【図９】
2013503689.tif 000011
【図１０】
2013503689.tif 000012
【図１１】
2013503689.tif 000013
【図１２】
2013503689.tif 000014
【国際調査報告】
2013503689.tif 000015
2013503689.tif 000016
2013503689.tif 000017
2013503689.tif 000018